(57)【要約】【課題】トレー形成のための箱分断操作（帯体の引き裂き作業）が簡易かつ確実に行なえる包装箱を提供する。【解決手段】上面板、底面板、およびこれらを連結する側面板を有して形成される帯状の胴部、ならびに内フラップおよび外フラップを備えてなるラップアラウンド式の包装箱において、前記側面板の略中央部には、一定距離の間隔をあけて形成された一対の引裂き開始片が形成されており、当該一対の引裂き開始片の対向する端部は、前記一定の間隔内に形成された線状の切り取り開始線により実質的に連結されており、当該線状の切り取り開始線を切り離し、しかる後、前記一対の引裂き開始片をそれぞれ、側面板の中央から両端に向かって引くことにより、引裂き開始片と連なる引裂き帯体が除去され、これに伴い箱体の上下がそれぞれ分断されるように構成される。【選択図】  図６
2004155478.tif 000002
【特許請求の範囲】
【請求項１】
上面板、底面板、およびこれらを連結する側面板を有して形成される帯状の胴部、ならびに内フラップおよび外フラップを備えてなるラップアラウンド式の包装箱において、
前記側面板の略中央部には、一定距離の間隔をあけて形成された一対の引裂き開始片が形成されており、
当該一対の引裂き開始片の対向する端部は、前記一定の間隔内に形成された線状の切り取り開始線により実質的に連結されており、
当該線状の切り取り開始線を切り離し、しかる後、前記一対の引裂き開始片をそれぞれ、側面板の中央から両端に向かって引くことにより、引裂き開始片と連なる引裂き帯体が除去され、これに伴い箱体の上下がそれぞれ分断されるようになっていることを特徴とする包装箱。
【請求項２】
前記一対の引裂き開始片の対向する端部は対向する側に近接するような湾曲部を備え、この湾曲部が線状の切り取り開始線により連結されている請求項１に記載の包装箱。
【請求項３】
前記引裂き開始片の対向部における高さをＨｗとした場合、線状の切り取り開始線は、湾曲部の下方から１／５Ｈｗ以上３／５Ｈｗ以下の位置に連結されている請求項２に記載の包装箱。
【請求項４】
前記線状の切り取り開始線を切り離した後、当該切り取り開始線を下端部として備えその上部に位置する側面板の部分を捲り上げることによって一対の引裂き開始片を把持するスペースが確保できるようになっている請求項１ないし請求項３のいずれかに記載の包装箱。
【請求項５】
前記一定距離の間隔に相当する線状の切り取り開始線の長さが６０〜１００ｍｍである請求項１ないし請求項４のいずれかに記載の包装箱。
【請求項６】
箱体の上下がそれぞれ分断されるように、一対の引裂き開始片は、それぞれ側面部および連接する内フラップに形成された切り取り帯体に連結されている請求項１ないし請求項５のいずれかに記載の包装箱。
【請求項７】
前記一定距離の間隔に相当する線状の切り取り開始線は側面板の略中央部に形成され、その略中央部分に包装箱内の充填物の最大奥行き隙間が存在してなる請求項１ないし請求項６のいずれかに記載の包装箱。
【発明の詳細な説明】
【０００１】
【発明の属する技術分野】
本発明は、缶製品等の容器製品物を包み込むように収納するいわゆるラップアラウンド式の紙製包装箱に関し、特に、店頭で中身の容器製品物を陳列する際、予め包装箱に形成された例えば切り取りライン（ミシン目状ジッパー）に沿って引裂き帯体を引裂くことによって紙箱を上下に分断し、トレーを形成する機能を有する包装箱に関する。
【０００２】
【従来の技術】
【特許文献１】特開平９−１９３９２３号公報
【特許文献２】特開平１０−１０１０６４号公報
【特許文献３】特開平１１−１７１１７２号公報
【特許文献４】特開２０００−３３５５５４号公報
【特許文献５】特開平８−５３１２７号公報
【０００３】
いわゆるラップアラウンド式の包装箱による容器製品物の包装は一般に以下の要領で行われる。すなわち、一般に４枚の側板が連なって構成される帯状の胴部で容器製品物を包み込むように収納した後、その開口したままになっている胴部両端部をそれぞれ一対の内フラップおよび外フラップで順次塞ぐことにより、容器製品物が収納された包装箱が完成される。
【０００４】
このように形成されたラップアラウンド式の包装箱の中には、店頭で中身の容器製品物を陳列する際に、予め包装箱に形成された例えば切り取りライン（ミシン目状ジッパー）に沿って引裂き帯体を引裂くことによって紙箱を上下に分断し、上蓋を取り外した後、下部に残った残余の下部箱をそのまま商品を載せる紙トレーとして利用できるタイプのものが存在する。
【０００５】
従来より一般に用いられているこの種の包装箱の形態が図９に示される。
図９に示される従来の缶用ラップアラウンドカートンケース１００のいわゆるジッパー機能は、側面１２０に予め帯状に施されたミシン目により構成されている。図の点線で描かれている状態が開封前の状態であるが、台形状の引裂き開始片のみミシン目カットされておりそれ以外は内側ライナーカットされていることが一般的である。
【０００６】
側面中央部に実質的に密接するように形成されている一対の台形状の引裂き開始片１２１，１２５をそれぞれ、側面中央から両端（矢印方向）に向かって引き裂くことにより（開封している状態であり実線で描かれている）、最終的に箱体の上下がそれぞれトレー状に分断されるようになっている。
【０００７】
【発明が解決しようとする課題】
しかしながら、このような従来のラップアラウンドカートンケースのいわゆるジッパーは、店頭での陳列の際に、帯状に形成されつつ引き裂かれるカートン部位が引き裂き途中で断絶してしまったり、あるいは帯幅が漸減的に収束してくることによる引き裂き不完全が生じてしまったりして、安定かつ確実にトレーを形成することができない場合がある。
【０００８】
このような状態で箱開封作業が中断した場合、新たに、何らかの手法を用いて、ジッパートレー作製の作業を継続する必要が生じる。このように一旦、帯体が切れてしまった後の作業は極めて煩雑な作業となり、また、作業の仕方次第では箱内部の内容物を傷つけるおそれが生じる。引裂き面の外観も悪くなる。さらに、発生するゴミの散在量も多くなりその後の片付け・廃棄処分にも多大な労力を要す。また、開封に際し、互いに接した状態で隣接する台形状の引裂き開始片の掴み代は決して十分であるとは言えず、一般に、引裂き開始片のしっかりとした把持は困難である。そのため、いわゆるジッパー（引裂き帯体）の引裂き開封時の労力は多大なものとなっていると言え肉体的にも負担が大きい。
【０００９】
このような実状のもとに本発明は創案されたものであり、その目的は、上記の問題点を解決し、トレー形成のための箱分断操作（帯体の引き裂き作業）が簡易かつ確実に行える包装箱を提供することにある。より具体的には、引裂き帯体を引裂く作業が簡単に行え、しかも引裂き帯体が引裂き途中で断絶することがなく、発生するゴミの散在量を低減させることができる包装箱を提供することにある。
【００１０】
【課題を解決するための手段】
上記課題を解決するために本発明のラップアラウンド式の包装箱は、上面板、底面板、およびこれらを連結する側面板を有して形成される帯状の胴部、ならびに内フラップおよび外フラップを備え、前記側面板の略中央部には、一定距離の間隔をあけて形成された一対の引裂き開始片が形成されており、当該一対の引裂き開始片の対向する端部は、前記一定の間隔内に形成された線状の切り取り開始線により実質的に連結されており、当該線状の切り取り開始線を切り離し、しかる後、前記一対の引裂き開始片をそれぞれ、側面板の中央から両端に向かって引くことにより、引裂き開始片と連なる引裂き帯体が除去され、これに伴い箱体の上下がそれぞれ分断されるように構成される。
【００１１】
本発明の好ましい態様として、前記一対の引裂き開始片の対向する端部は対向する側に近接するような湾曲部を備え、この湾曲部が線状の切り取り開始線により連結されているように構成される。
【００１２】
本発明の好ましい態様として、前記引裂き開始片の対向部における高さをＨｗとした場合、線状の切り取り開始線は、湾曲部の下方から１／５Ｈｗ以上３／５Ｈｗ以下の位置に連結されるように構成される。
【００１３】
本発明の好ましい態様として、前記線状の切り取り開始線を切り離した後、当該切り取り開始線を下端部として備えその上部に位置する側面板の部分を捲り上げることによって一対の引裂き開始片を把持するスペースが確保できるように構成される。
【００１４】
本発明の好ましい態様として、前記一定距離の間隔に相当する線状の切り取り開始線の長さが６０〜１００ｍｍとなるように構成される。
【００１５】
本発明の好ましい態様として、箱体の上下がそれぞれ分断されるように、一対の引裂き開始片は、それぞれ側面部および連接する内フラップに形成された切り取り帯体に連結されるように構成される。
【００１６】
本発明の好ましい態様として、前記一定距離の間隔に相当する線状の切り取り開始線は側面板の略中央部に形成され、その略中央部分に包装箱内の充填物の最大奥行き隙間が存在してなるように構成される。
【００１７】
本発明の包装箱の側面板の略中央部には、一定距離の間隔をあけて形成された一対の引裂き開始片が形成されており、当該一対の引裂き開始片の対向する端部は、前記一定の間隔内に形成された線状の切り取り開始線により実質的に連結されており、当該線状の切り取り開始線を切り離し、しかる後、前記一対の引裂き開始片をそれぞれ、側面板の中央から両端に向かって引くことにより、引裂き開始片と連なる引裂き帯体が除去され、これに伴い箱体の上下がそれぞれ分断されるようになっている。最初に線状の切り取り開始線を切り離しその上部に位置する側面板の部分を捲り上げることにより、一対の引裂き開始片を把持するスペースが十分に確保でき、開封作業が容易に行なえるように作用する。線状の切り取り開始線の存在により、開封のための帯体の長さが短くなり途中切断のおそれが減少するように作用する。
【００１８】
【発明の実施の形態】
以下、本発明の包装箱の具体的実施の形態の一例について、図１〜図８を参照しつつ説明する。
【００１９】
図１は、本発明の包装箱１の展開図の一例を示したものであり、図２は、図１に示される展開された箱オリジナル紙を組み立てた斜視図である。図３〜図７は、それぞれ、図２に示されるごとく組み立てられた包装箱（製品出荷箱）の側面に形成された引裂き開始片を介して引裂き帯体を引裂くことによって紙箱を上下に分断し、トレーを形成する状況を経時的に説明するための概略斜視図である。図８は、一対の引裂き開始片近傍の構成を説明するために当該部分を拡大した部分拡大図面である。なお、図２〜図７における組み立て斜視図は、後述するように発明の要部のみを分かりやすく説明するために長方形箱として図面の簡略化を図っている。
【００２０】
本発明の包装箱１は、図１に示される展開図および図２に示される組立図から容易に理解できるように、例えば、まず最初に、複数枚（本実施の形態では４枚）の板体１１，２１，１５，２５が連なって形成される帯状の胴部で容器製品物（缶ビールなどの缶製品群）を包み込むように収納した後、糊代片９で帯状の胴部を筒状に一体固着することにより筒状の胴部が形成される。
【００２１】
その後、図１に示される折り目線６１，６５，８１，８５から４つの側片３８（略長方形形状）が内側に折り込まれ、さらに折り目線６２，６６，８２，８６から４つの内フラップ３１，３１，３５，３５が内側に折り込まれる。
【００２２】
次いで、この折り込まれた４つの内フラップ３１，３１，３５，３５の外面の所定位置に糊付けがなされる。
【００２３】
次いで、この糊付け面に向けて、折り目線７１，７５，９１，９５から４つの外フラップ４１，４１，４５，４５が折り込まれ、図２に示されるような包装箱１が完成する。この状態は、いわゆる出荷箱に相当する。
【００２４】
図１の展開図から分かるように当該展開図を組立てた包装箱は、４つの側片３８の存在により、内フラップが連接される胴部の角があたかも切り取られた形態をなしている（図１の符号Ｈ相当部分）。そのため、図１の展開図を組み立てた包装箱を上面板２５からみた平面形状は、箱の角部が切り取られたような変形８角形となる。しかしながら、４つの側片３８の存在は、本発明の包装箱において必須の要件ではなく、従って、４つの側片３８が存在する平面８角形形態であってもよいし、これらが存在しない一般的な平面４角形形態であってもよい。このような観点から図２〜図７における組み立て斜視図は、発明の要部を説明するための図面の簡略化を図り要部のみ適切に描いた平面４角形形態（４つの側片３８が存在していない）に変更して描いている。
【００２５】
このような本発明の包装箱１は、例えば、店頭で中身の容器製品物を陳列する際に、予め包装箱の側面板に形成された一対の引裂き開始片１２，１３，１６，１７をそれぞれ、側面板の中央から両端に向かって引くことにより、この引裂き開始片と連なる引裂き帯体４，５が除去され、これに伴い箱体の上下がそれぞれ分断され、上蓋が取り外された後、下部に残った残余の下部箱がそのまま商品を載せる紙トレーとして利用されるようになっている。
【００２６】
すなわち、図１の展開図および図２からも分かるように組み立て後の包装箱１は、上面板２５の胴部を構成する側には、対向する一対の側面板１１，１５が連接して形成されており、上面板２５の開口側の両端部にはそれぞれ上面側外フラップ４５，４５が連接して形成されている。
【００２７】
同様に、底面板２１の胴部を構成する側には、前述した一対の側面板１１，１５が連接して形成されており、底面板２１の開口側の両端部にはそれぞれ下面側外フラップ４１，４１が形成されている。
【００２８】
さらに、側面板１１の開口側の両端部にはそれぞれ内フラップ３１，３１が実質的に連接して形成されるとともに、これらによって一体化側面部３０が構成されている。
【００２９】
同様に側面板１５の開口側の両端部にはそれぞれ内フラップ３５，３５が実質的に連接して形成されるとともに、これらによって一体化側面部３０が構成されている。ここで、『実質的な連接』と表現しているのは、直接的な連接のみならず間接的な連接をも含む趣旨である。すなわち、図１の展開図における形態では、各側面板１１，１５は側片３８を介して間接的に内フラップと連接している形態が示されている。このような側片３８の形成により、前述したように図１の実施の形態における上面板２５からみた平面形状は、箱の角部が切り取られたような変形８角形となっている。本発明においては、側片３８が存在しない一般的な平面４角形形態であってもよいことは勿論である。
【００３０】
本発明における側面板１１，１５の略中央部には、それぞれ一定距離の間隔Ｄをあけて形成された一対の引裂き開始片１２，１３および１６，１７が形成されている。引裂き開始片１２，１３および１６，１７は、いわゆる丸味をおびたコの字形態をなし、当該コの字に沿っていわゆるミシン目が形成されている（すなわち、引裂き可能なように断続的なカット線でその形態が形成されている）。特に、一対の引裂き開始片１２，１３および１６，１７の対向する端部は対向する側に近接するような湾曲部を備えていることが望ましい。また、当該ミシン目は、箱紙を厚さ方向に打ち抜いて形成しているために、箱強度および引裂き易さ等を考慮してミシン目長さ、およびピッチ等を決めればよい。
【００３１】
このような各々の一対の引裂き開始片１２，１３および１６，１７の対向する端部は、前記一定の間隔Ｄ内にそれぞれ形成された線状の切り取り開始線１４および１８により連結されている。
【００３２】
このような線状の切り取り開始線１４および１８は、いわゆるミシン目により形成されることが望ましく、当該線部１４および１８を指で押圧することにより線状に沿って切り取ることができるようになっている。すなわち、線状の切り取り開始線１４および１８は切り離し可能なように断続的なカット線でその形態が形成されている。また、当該ミシン目は、箱紙を厚さ方向に打ち抜いて形成しているために、箱強度および引裂き易さ等を考慮してミシン目長さ、およびピッチ等が決められる。
【００３３】
本発明において、引裂き開始片１２，１３および１６，１７の対向部（湾曲部）における高さをＨｗとした場合、線状の切り取り開始線１４および１８は、湾曲部の下方（包装箱の下側）から１／５Ｈｗ以上３／５Ｈｗ以下の位置、特に、１／４Ｈｗ以上１／２Ｈｗ未満に連結されていることが望ましい。このような設定により、線状の切り取り開始線１４および１８を線状に沿って切り取った後に、当該切り取り開始線を下端部として備え、その上部に位置する側面板の部分を捲り上げることによって一対の引裂き開始片を把持する十分なスペースが確保できるようになっている。引裂き開始片１２，１３および１６，１７の対向部（湾曲部）における高さＨｗは、箱の大きさにもよるが、通常、１５〜５０ｍｍ、より好ましくは２０〜３０ｍｍとされる。
【００３４】
また、前記一定距離の間隔に相当する線状の切り取り開始線の長さ（Ｄと実質的の同じ長さと考えて差し支えない）は、６０〜１００ｍｍ、好ましくは７０〜９０ｍｍとされる。この値が１００ｍｍを超えると箱強度の観点から問題が発生しやすくなる。また、６０ｍｍ未満となると当該線を切り取った後に、その上部に位置する側面板の部分を捲り上げることが困難となる傾向が生じる。また、このような線状の切り取り開始線の存在により、開封のために実際に引き裂かれる帯体の長さを短くすることができ、開封時における途中切断のおそれを減少させることができる。
【００３５】
また、一対の引裂き開始片１２，１３および１６，１７は、箱体の上下がそれぞれ分断されるように、それぞれ側面部および連接する内フラップに形成された切り取り帯体４，５に実質的に連結されている。
【００３６】
すなわち、図１に示されるように本発明における一体化側面部３０，３０には、引裂き帯体４，５がそれぞれ形成されており、この引裂き帯体４，５に連結可能なように一対の引裂き開始片１２，１３および１６，１７が形成されているのである。
【００３７】
引裂き帯体４は、実質的に図１におけるラインＬ１（上部切り取りラインＬ１）およびラインＬ２（下部切り取りラインＬ２）の部位により形成されており、引裂き帯体５は、図１におけるラインＬ３（上部切り取りラインＬ３）およびラインＬ４（下部切り取りラインＬ４）の部位により形成されている。
【００３８】
そして、引裂き帯体４，５をそれぞれ潜在的に構成している上部切り取りラインＬ１および下部切り取りラインＬ２、並びに上部切り取りラインＬ３および下部切り取りラインＬ４は、以下の要領で作製されることが好ましい。すなわち、これらの各ラインは、前記一体化側面部３０，３０に形成されたライナーカット、特に、一体化側面部３０，３０の内側（裏側）に外側から見えないように形成された内側ライナーカットにより形作られることが望ましい。いわゆるダンボール紙は、波状形状の中芯を芯材として、この両面に外側ライナーおよび内側ライナーを貼り合わせることにより形成されるのであるが、ライナーを貼り合わせる前に、ライナーそのものに予め引裂き帯体に相当する所定形状のカット目を入れておく処理、つまりこれがライナーカットである。
【００３９】
このようなライナーカットは、貼り合わせ後のダンボール紙を打ち抜いて形成されるミシン目（ミシン目ライン）よりも、箱の強度を保つためには、有利である。
【００４０】
このようなライナーカットにより形成された引裂き帯体４，５（図８に示されるように帯び幅Ｇで形成されている）に連結可能なように一対の引裂き開始片１２，１３および１６，１７がミシン目等の断続的なカット線で打ち抜き形成されている。同時に、切り取り開始線１４および１８が、このような一対の引裂き開始片１２，１３および１６，１７に実質的に（本発明の操作が可能なように）連結されるように、ミシン目等の断続的なカット線で例えば打ち抜き形成されている。
【００４１】
このような線状の切り取り開始線および引裂き開始片を用いた分断操作は、本発明の要部となるものであり、この要部構成がより容易に理解できるように、図３〜７に示される経時的な引裂き動作と併せて、以下説明する。なお、側面板１１，１５における仕様は実質的に同じであるので、以下、側面板１１を代表例にとって説明する。
【００４２】
分断操作に基づくトレー形成
図２に示される包装箱１の分断開封に際し、まず、図３に示されるごとく線状の切り取り開始線１４を指等を押し込むことにより切り離す。その後、当該切り取り開始線を下端部として備え、その上部に位置する側面板の部分１１ａを捲り上げる。捲り上げる方向は、箱内側や箱外側どちら側でもよいが、箱内側に押し込むように捲り上げることが操作が容易となる。
【００４３】
この操作によってことに一対の引裂き開始片１２，１３を把持するスペースＥが確保できる。通常、側面板にわたってビール缶のような筒状容器が偶数個収納されている包装箱では、中央に形成された切り取り開始線の略中央部分に包装箱内の充填物の最大奥行き隙間が存在する。なお、奇数個収納の場合には、充填物の最大奥行き隙間が存在するところへ切り取り開始線をずらせばよい。
【００４４】
次いで、図４および図５に示されるようスペースＥに作業者が手を挿入するとともに引裂き開始片１２，１３を把持して両端（矢印方向）に向かって引き裂く操作が行なわれる。
【００４５】
このような引裂き操作により、実際の引裂きは引裂き開始片１２，１３から引裂き帯体４に引き継がれ図６および図７に示されるような引裂きが継続して行なわれる。そして、内フラップ３１の最終端に至るまで引裂き帯体４が引裂かれることによって、最終的に箱体の上下がそれぞれトレー状に分断される。
【００４６】
【発明の効果】
上述してきたように本発明は、上面板、底面板、およびこれらを連結する側面板を有して形成される帯状の胴部、ならびに内フラップおよび外フラップを備えてなるラップアラウンド式の包装箱において、前記側面板の略中央部には、一定距離の間隔をあけて形成された一対の引裂き開始片が形成されており、当該一対の引裂き開始片の対向する端部は、前記一定の間隔内に形成された線状の切り取り開始線により実質的に連結されており、当該線状の切り取り開始線を切り離し、しかる後、前記一対の引裂き開始片をそれぞれ、側面板の中央から両端に向かって引くことにより、引裂き開始片と連なる引裂き帯体が除去され、これに伴い箱体の上下がそれぞれ分断されるようになっているので、トレー形成のための箱分断操作（帯体の引き裂き作業）が簡易かつ確実に行えるという効果を奏する。
【図面の簡単な説明】
【図１】本発明の包装箱の展開図の一例を示したものである。
【図２】図１に示されるように展開された箱オリジナル紙を組み立てた斜視図である。
【図３】トレー形成のための箱分断操作を経時的に示した概略斜視図である。
【図４】トレー形成のための箱分断操作を経時的に示した概略斜視図である。
【図５】トレー形成のための箱分断操作を経時的に示した概略斜視図である。
【図６】トレー形成のための箱分断操作を経時的に示した概略斜視図である。
【図７】トレー形成のための箱分断操作を経時的に示した概略斜視図である。
【図８】一対の引裂き開始片近傍の構成を説明するために当該部分を拡大した部分拡大図である。
【図９】従来技術によるトレー形成のための箱分断操作を模式的に示した概略斜視図である。
【符号の説明】
１…包装箱
４，５…引裂き帯体
１１，１５…側面板
１２，１３，１６，１７…引裂き開始片
１４，１８…線状の切り取り開始線
２１…底面板
２５…上面板
３１，３５…内フラップ
４１…下面側外フラップ
４５…上面側外フラップ
【図１】
2004155478.tif 000003
【図２】
2004155478.tif 000004
【図３】
2004155478.tif 000005
【図４】
2004155478.tif 000006
【図５】
2004155478.tif 000007
【図６】
2004155478.tif 000008
【図７】
2004155478.tif 000009
【図８】
2004155478.tif 000010
【図９】
2004155478.tif 000011